(57)【特許請求の範囲】
【請求項１】
上部ケース及び下部ケースからなる器体内に、上部ケースに揺動可能に軸支された操作子の揺動操作により可動接触子を反転動作させて電気回路を開閉させるスイッチ機構と、電線を接続する接続端子部と、低電流検知素子と、発光表示体とを収納配置し、上記低電流検知素子で電流を検知した時に上記発光表示体を発光させて上記操作子の中央に設けられた透光部より外部に発光表示させる低電流検知素子内蔵発光表示付スイッチにおいて、
上記低電流検知素子と、可動接触子と、該可動接触子を支持する支持板と、該支持板を上方に付勢するスプリングとを絶縁性を有する中枠体に収装したことを特徴とする低電流検知素子内蔵発光表示付スイッチ。
【請求項２】
前記中枠体に2つの収容部を形成し、一方の収容部には前記低電流検知素子を収容し、他方の収容部には前記スプリングと支持板と可動接触子とを収容した、請求項1記載の低電流検知素子内蔵発光表示付スイッチ。
【請求項３】
前記一方の収容部には押え壁と内壁とからなる固定手段を設け、該収容部に収容した前記低電流検知素子は上記固定手段で固定し、前記他方の収容部には収容部の内壁に形成されたフックからなる固定手段を設け、該収容部に収容した前記支持板は上記固定手段で固定した、請求項２記載の低電流検知素子内蔵発光表示付スイッチ。
【発明の詳細な説明】
【０００１】
【発明の属する技術分野】
本発明は、内装した低電流検知素子で通電を検知し、通電時に発光表示体を発光させる低電流検知素子内蔵発光表示付スイッチに関する。
【０００２】
【従来の技術】
従来、家庭内配線用のスイッチとしてとして様々なスイッチが開発化され実用に供されている。特に、電気回路の開閉に対応して発光表示体を点灯、消灯させ電気回路の状態を確認できるようにした発光表示付スイッチが提案されている。
【０００３】
【発明が解決しようとする課題】
しかしながら、スイッチに機能を付加するということは、その機能を働かせるための構成部品が増えることになり、これらの部品を小型の器体内に収装する作業は煩雑であり、組み付け作業を自動化するための障壁となり、この障壁をクリヤすることが組み付け作業の自動化促進における大きな課題であった。
【０００４】
本発明は上記問題点を解消し、電気回路に流れる電流を検知して発光素子を点灯、消灯させるスイッチを組み立てる際に、スイッチを構成する構成部品の組み付け作業の自動化促進とともに、生産性向上を図ることができる低電流検知素子内蔵発光表示付スイッチを提供することをその課題とする。
【０００５】
【課題を解決するための手段】
前記課題を解決するため、本発明に係る低電流検知素子内蔵発光表示付スイッチは、上部ケース及び下部ケースからなる器体内に、上部ケースに揺動可能に軸支された操作子の揺動操作により可動接触子を反転動作させて電気回路を開閉させるスイッチ機構と、電線を接続する接続端子部と、低電流検知素子と、発光表示体とを収納配置し、上記低電流検知素子で電流を検知した時に上記発光表示体を発光させて上記操作子の中央に設けられた透光部より外部に発光表示させる低電流検知素子内蔵発光表示付スイッチにおいて、上記低電流検知素子と、可動接触子と、該可動接触子を支持する支持板と、該支持板を上方に付勢するスプリングとを絶縁性を有する中枠体に収装したことを特徴とする。
【０００６】
なお、前記中枠体に2つの収容部を形成し、一方の収容部には前記低電流検知素子を収容し、他方の収容部には前記スプリングと支持板と可動接触子とを収容することが好ましい。
【０００７】
また、前記一方の収容部には押え壁と内壁とからなる固定手段を設け、該収容部に収容した前記低電流検知素子は上記固定手段で固定し、前記他方の収容部には収容部の内壁に形成されたフックからなる固定手段を設け、該収容部に収容した前記支持板は上記固定手段で固定して、収容した部品が中枠体から離脱しないようにすればよい。
【０００８】
【発明の実施の形態】
図１は、本発明に係る電流検知素子内蔵発光表示付スイッチ（以下、スイッチという）の一例の分解斜視図を示し、このスイッチは３路用のスイッチで、上部ケース２及び下部ケース３からなる器体１内に、電線を接続する接続端子部６と、上部ケース２に揺動可能に軸支された操作子４の揺動操作により可動接触子５を反転動作させて電気回路を開閉させるスイッチ機構Ａと、電気回路に電流が流れたことを検出する低電流検知素子７と、低電流検知素子７が検出した電流で点灯する発光表示体８を備えた回路基板９とを収納配置し、上部ケース２は下面が全面開口するとともに、上面に操作子４の上面を露出させる開口部１０が形成された長方形の箱体で、開口部１０の両側部には操作子４を回動可能に軸支する軸受部１１が形成されるとともに下面４隅には下方に突出してフック１２が形成されている。
【０００９】
下部ケース３は上面が全面開口するとともに、図２に示すように、底面に電線を個別に挿入する電線挿入孔１５と、挿入された電線の係止を解除する解除部材１６を操作する為の工具を挿入する工具挿入口１７とが形成され、下部ケース３の両側面には係止突部１８が形成されている。
【００１０】
そして、上部ケース２と下部ケース３とは上部ケース２に形成されたフック１２を、下部ケース３に形成された係止突部１８に係止させることにより下部ケース３と上部ケース２とが一体になり、全体として箱状の器体１が形成できるようになっている。
【００１１】
電線が接続される接続端子部６は電源端子２０、固定端子２１及び切換端子２２とで構成され、電源端子２０、固定端子２１及び切換端子２２に対応して上記電線挿入孔１５の上部に配置され、挿入された電線を係止するとともに電線と各端子２０、２１、２２とを導通させる押えバネ２３が配置され、電線挿入孔１５から挿入された電線は押えバネ２３に係止されるとともに、押えバネ２３を介して各端子２０、２１、２２に電気的に接続されるようになっている。
【００１２】
そして、図３に示すように、固定端子２１と切換端子２２との中間には、可動接触子５とスプリング２４で常に上方に付勢されるとともに、可動接触子５を支持する側面視略Ｖ字状の導電性及び弾性を有する支持板２５とが配置され、この可動接触子５が、図３上で、左右に反転すると可動接触子５の可動接点５ａが固定端子２１の固定接点２１ａと切換端子２２の切換接点２２ａとに選択的に接触し、電気回路の接続・遮断ができるようにスイッチ機構Ａを構成している。
【００１３】
上記可動接触子５は、操作子４によって反転駆動されて可動接点５ａが選択的に固定接点２１ａと切換接点２２ａとに接触させられるが、この操作子４は中央に発光ダイオード８の光を通過させる開口部２６に透明樹脂からなる透光板２７が取り付けられた枠体で、長手方向両側部の中央下面には可動接触子５の両側部に形成された駆動片５ｂの上端に係合する駆動アーム２８が下方に突出して形成され、図示しない化粧操作板を操作子４に装着する装着爪２９が開口部２６の長手方向両側に取り付けられ、両側部中央には上部カバー２に形成された軸受部１１に揺動可能に支持される支軸３０が側方に突出して形成されている。
【００１４】
低電流検知素子７は、図４の回路図に示すように、ダイオードブリッジ回路３５の直流出力端子にダイオード３６を接続してユニット化したもので、交流入力端子のリード部７ａ、７ｂが上記可動接触子５を支持する支持板２２及び電源端子２０にそれぞれ接続され、電源端子２０、固定端子２１、切換端子２２の上部に突出した接続ピン２０ｂ、２１ｂ、２２ｂは、上方に配置した回路基板９に接続され、発光素子８を点灯させる点灯回路を形成している。
【００１５】
ところで、上記スイッチ機構Ａと低電流検知素子７とは中枠体４０に収容されている。この中枠体４０は、図５に示すように、中央が仕切り壁４２で仕切られて２つの収容部４０ａ、４０ｂが形成され、一方の収容部４０ａには低電流検知素子７が収容され、他方の収容部４０ｂにはスプリング２４と支持板２５とが収容できるようになっている。
【００１６】
スプリング２４は支持板２５の側面視略Ｖ字状の支持部２５ａを下から押圧するように配置され、支持部２５ａを跨ぐように配置された可動接触子５を間接的に押し上げるようになっているため、支持板２５はスプリング２４を圧縮した状態で中枠体２５内に収容することになるので、収容時に支持板２５を固定する固定手段４１が設けられている。この固定手段４１は仕切り壁４２と外枠４３との間に形成されたスリット４４と、収容部４０ｂ側の外枠４５の内壁に形成されたフック４６と、収容部４０ａ側の外枠４３の内壁に形成されたフック４９とで構成され、支持板２５の縦板２５ｂがスリット４４に圧入されるとともに、縦板２５ｂの上端がフック４６、４９で固定され、収容部４０ｂに安定した状態で収容される。
【００１７】
そして、低電流検知素子７は固定手段４７で収容部４０ａに固定される。この固定手段４７は押え壁４８ａと外枠４３の内側に形成された内壁４８ｂとで構成され、低電流検知素子７を収容部４０ａに収容したとき、低電流検知素子７を押え壁４８ａと内壁４８ｂとの間に保持し、収容部４０ａ内に低電流検知素子７を固定できるようになっている（図６参照）。
【００１８】
なお、図５において、符号２５ｃは低電流検知素子７の交流入力端子７ａがハンダ付けされる孔を示し、符号２５ｄは回路基板９にハンダ付けされる接続ピンを示す。
【００１９】
スイッチは上述のように構成されているので、このスイッチを組み立てる際には、中枠体４０にスイッチの構成部品の一部である低電流検知素子７、スプリング２４、支持板２５を予めセットしておく。中枠体７にセットされた低電流検知素子７は固定手段４７で収容部４０ａに固定され、支持板２５はスプリング２４とともに固定手段４１で収容部４０ｂに固定されるので、特にスプリング２４を圧縮しながら部品組付けを行なう工程を事前に行なうことができるので、スイッチの組立て工程における煩雑さを回避することができる。
【００２０】
次に、中枠体７を下カバー内に収装し、支持板２５の支持部２５ａ上に可動接触子５、中枠体の両側に解除部材１６、押えバネ２３をセットし、更に電源端子２０、固定端子２１、切換端子２２を押えバネ２３の上から差し込み（図７参照）、回路基板９を載せて接続ピン２０ｂ、２１ｂ、２２ｂ及び２５ｄをハンダ付けをする（図８参照）。その後、上カバー２の軸受部１１に支軸３０が支持された作動子４の駆動アーム２８の先端が可動接触子５の駆動片５ｂに係合させながら上カバー２を上から被せるようにしてフック１２を係止突部１８に係止させ、器体1を組み立てることにより、図９に示すように、上カバー２に揺動操作可能に軸支された操作子４と操作子４の開口部２６に嵌め込まれた透光板２７を前面から視認することができるスイッチを組み上げることができる。
【００２１】
上述のように、スイッチを構成する構成部品を順次、下ケース内に収容し、上カバーを被せてこの上カバーを下カバーに固定することによりスイッチを組み上げることができるので、作業の効率化及び自動化を図ることができ生産性の向上に寄与することができる。
【００２２】
なお、図１０は片切用のスイッチの場合を示し、この片切用のスイッチは３路用スイッチにおける接続端子部６を電源端子２０、固定端子２１及び切換端子２２に代えて、電源端子２０と固定端子５０との２つの端子で構成したもので、３回路用スイッチと同様に予めスイッチの構成部品の一部である低電流検知素子７、スプリング２４、支持板２５がセットされた中枠体４０を、下カバー３に収装し、支持板２５の支持部２５ａ上に可動接触子５、中枠体の両側に解除部材１６、押えバネ２３をセットし、更に電源端子２０、固定端子５０を押えバネ２３の上から差し込み（図１１参照）、回路基板９を載せて図１２に示すように接続ピン２０ｂ、２５ｄ及び５０ｂをハンダ付けすることにより、図１３に示すような点灯回路を構成することができる。
【００２３】
その後、上カバー２の軸受部１１に支軸３０が支持された作動子４の駆動アーム２８の先端が可動接触子５の駆動片５ｂに係合させながら上カバー２を上から被せるようにしてフック１２を係止突部１８に係止させ、器体1を組み立てることにより、上カバー２に揺動操作可能に軸支された操作子４と操作子４の開口部２６に嵌め込まれた透光板２７を前面から視認することができるスイッチを組み上げることができる。
【００２４】
【発明の効果】
本発明によれば、スイッチを構成する構成部品を順次、下ケース内に収容し、上カバーを被せてこの上カバーを下カバーに固定することによりスイッチを組み上げることができるので、作業の効率化及び自動化を図ることができ生産性の向上に寄与することができる。
【００２５】
また、予め低電流検知素子と、可動接触子と、該可動接触子を支持する支持板と、該支持板を上方に付勢するスプリングとを絶縁性を有する中枠体に収装しておくことにより、スイッチの組み立て作業の効率を図ることができる。
【００２６】
そして、中枠体は仕切り壁で仕切られて２つの収容部が形成されているので、それぞれの収容部に該当する構成部品をセットすればよく、組み立て作業の準備作業を効率よく行なうことができる。
【００２７】
更に、中枠体の収容部には収容した構成部品を固定する固定手段をそれぞれ設けたので、予め中枠体にセットした構成部品は中枠体から離脱することがなく、組み立て工程において１つの部品として取り扱うことができ、作業上の管理を円滑に行なうことができる。
【図面の簡単な説明】
【図１】本発明に係る３路用スイッチの分解斜視図
【図２】上記３路用スイッチの背面図
【図３】上記３路用スイッチの縦断面図
【図４】３路用スイッチの発光素子の点灯回路図
【図５】中枠体の構造を説明する斜視図
【図６】低電流検知素子の収容部を示す部分断面斜視図
【図７】３路用スイッチの組み立ての過程を説明する下カバーの正面図
【図８】３路用スイッチの組み立ての過程を説明する下カバーの正面図
【図９】上カバーを取り付けた状態の３路用スイッチの正面図
【図１０】片切用スイッチの分解斜視図
【図１１】３路用スイッチの組み立ての過程を説明する下カバーの正面図
【図１２】３路用スイッチの組み立ての過程を説明する下カバーの正面図
【図１３】片切用スイッチの発光素子の点灯回路図
【符号の説明】
１  器体
２  上カバー
３  下カバー
４  作動子
５  可動接触子
６  接続端子部
７  低電流検知素子
８  発光表示体
２４  スプリング
２５  支持板
４０  中枠体
４０ａ、４０ｂ  収容部
４１、４７  固定手段
【図１】
0004535627.tif 000002
【図２】
0004535627.tif 000003
【図３】
0004535627.tif 000004
【図４】
0004535627.tif 000005
【図５】
0004535627.tif 000006
【図６】
0004535627.tif 000007
【図７】
0004535627.tif 000008
【図８】
0004535627.tif 000009
【図９】
0004535627.tif 000010
【図１０】
0004535627.tif 000011
【図１１】
0004535627.tif 000012
【図１２】
0004535627.tif 000013
【図１３】
0004535627.tif 000014